(57)【要約】【課題】輝度の均一化を実現できるセンサ装置を提供する。【解決手段】光源２と、光源２からの光が導入されて面方向に導かれるシート状の導光体３と、導光体の一方の面に対向して設けられた検知センサ２１と、を備えたセンサ装置１。検知センサ２１の面２７ａには、主反射領域１１と、主反射領域１１に比べ光の反射率が低い低反射領域１２とが形成され、低反射領域１２は少なくとも一部が主反射領域１１より光源２に近い位置にある。【選択図】図１
2013229164.tif 000002
【特許請求の範囲】
【請求項１】
光源と、
前記光源からの光が導入されて面方向に導かれるシート状の導光体と、
前記導光体の一方の面に対向して設けられた検知センサと、を備え、
前記検知センサの前記導光体と対向する面には、主反射領域と、前記主反射領域とは異なる色を呈することにより前記主反射領域に比べて光の反射率が低くされた低反射領域と、が形成され、
前記低反射領域は、少なくとも一部が前記主反射領域より前記光源に近い位置にあることを特徴とするセンサ装置。
【請求項２】
前記低反射領域は、前記光源からの光が前記導光体に導入される導入部からほぼ一定距離の範囲内の領域に重なる領域を含むことを特徴とする請求項１に記載のセンサ装置。
【請求項３】
前記導光体には、前記導光体内の光を散乱させて出射させる光取出部が形成され、
前記低反射領域は、前記光取出部に重なる領域を含むことを特徴とする請求項１または２に記載のセンサ装置。
【請求項４】
前記低反射領域は、前記主反射領域に比べ光の反射率が低い低反射性材料からなる低反射層により形成されていることを特徴とする請求項１〜３のうちいずれか１項に記載のセンサ装置。
【請求項５】
前記低反射領域は、前記主反射領域に比べ明度が低い色を呈することを特徴とする請求項１〜４のうちいずれか１項に記載のセンサ装置。
【請求項６】
前記主反射領域は、前記低反射領域に比べ光の反射率が高い高反射性材料からなる高反射層により形成されていることを特徴とする請求項１〜５のうちいずれか１項に記載のセンサ装置。
【請求項７】
前記主反射領域は、前記低反射領域に比べ明度が高い色を呈することを特徴とする請求項１〜６のうちいずれか１項に記載のセンサ装置。
【請求項８】
前記検知センサは、スイッチ素子と、これを覆うシート状の反射体とを有するシートスイッチであり、
前記検知センサの前記導光体と対向する面は、前記反射体の前記導光体側の面であることを特徴とする請求項１〜７のうちいずれか１項に記載のセンサ装置。
【発明の詳細な説明】
【技術分野】
【０００１】
本発明は、携帯電話、情報携帯端末（ＰＤＡ：Ｐｅｒｓｏｎａｌ  Ｄｉｇｉｔａｌ  Ａｓｓｉｓｔａｎｔ）、パーソナルコンピュータ等の操作ボタン、キーボタン等に用いられるシートスイッチモジュールなどのセンサ装置に関する。
【背景技術】
【０００２】
従来、携帯電話等には、キーボタン部等を明るく表示する照明機能を有するシートスイッチモジュールなどのセンサ装置が用いられている。
この種のセンサ装置としては、ＬＥＤなどからなる光源と、光源からの光が導入されるシート状の導光体と、シートスイッチとを備えたものがある（特許文献１〜５を参照）。
【０００３】
図１０は、センサ装置の一例であるシートスイッチモジュールであって、このシートスイッチモジュール６１は、光源２と、光源２からの光が導入される導光体３と、導光体３の下面３ａ側に設けられたシートスイッチ７１とを備えている。
導光体３には、導光体３内の光を散乱させて上面３ｂ側に取り出す光取出部４が形成されている。
シートスイッチ７１は、基板２２上に、スイッチ素子２６と、これを覆う押えシート７７とを有する。押えシート７７は、白色のＰＥＴなどからなる。
【先行技術文献】
【特許文献】
【０００４】
【特許文献１】特開２００７−３０５３１３号公報
【特許文献２】特開２０１０−０４０４１３号公報
【特許文献３】特開２００９−１２９８１５号公報
【特許文献４】特開２００７−３１７４２４号公報
【特許文献５】特開２０１１−１５０８６９号公報
【発明の概要】
【発明が解決しようとする課題】
【０００５】
光源２から発せられて一端部３ｃから導光体３に導入された光Ｌ１は、導光体３内を面方向に伝搬する。
光源２から発せられた光の一部である光Ｌ２は、一端部３ｃに近い位置で、粘着材１４等を通して導光体３の下面３ａ側に出射し、押えシート７７の上面７７ａで反射する。このシートスイッチモジュールでは、前記反射を原因として、光出射量の局部的な増大（いわゆるホットスポット）による輝度の不均一が生じることがあった。
ホットスポットの原因となる光の経路は単純ではないため、シミュレーションによる光学設計は容易ではない。光源２からの光をレンズにより集光すれば光学設計はしやすくなるが、その場合にはレンズ等の部材の位置ずれにより輝度の不均一が生じやすくなるという問題があった。
本発明は、上記事情に鑑みてなされたものであって、輝度の均一化を実現できるセンサ装置を提供することを目的とする。
【課題を解決するための手段】
【０００６】
本発明は、光源と、前記光源からの光が導入されて面方向に導かれるシート状の導光体と、前記導光体の一方の面に対向して設けられた検知センサと、を備え、前記検知センサの前記導光体と対向する面には、主反射領域と、前記主反射領域とは異なる色を呈することにより前記主反射領域に比べて光の反射率が低くされた低反射領域と、が形成され、前記低反射領域は、少なくとも一部が前記主反射領域より前記光源に近い位置にあるセンサ装置を提供する。
前記低反射領域は、前記光源からの光が前記導光体に導入される導入部からほぼ一定距離の範囲内の領域に重なる領域を含むことが好ましい。
前記導光体には、前記導光体内の光を散乱させて出射させる光取出部が形成され、前記低反射領域は、前記光取出部に重なる領域を含むことが好ましい。
前記低反射領域は、前記主反射領域に比べ光の反射率が低い低反射性材料からなる低反射層により形成されていてよい。
前記低反射領域は、前記主反射領域に比べ明度が低い色を呈することが好ましい。
前記主反射領域は、前記低反射領域に比べ光の反射率が高い高反射性材料からなる高反射層により形成されていてよい。
前記主反射領域は、前記低反射領域に比べ明度が高い色を呈することが好ましい。
本発明は、前記検知センサが、スイッチ素子と、これを覆うシート状の反射体とを有するシートスイッチであり、前記検知センサの前記導光体と対向する面が、前記反射体の前記導光体側の面である構造としてよい。
【発明の効果】
【０００７】
本発明によれば、検知センサの導光体と対向する面に、主反射領域と、光源に近い位置にある低反射領域とが形成されているので、光源に近い位置で導光体の検知センサ側に出た光は、低反射領域により反射量が低減される。
従って、光源に近い位置で光出射量が局部的に大きくなるのを防ぎ、輝度を均一化することができる。
また、低反射領域は、主反射領域とは色が異なることにより光の反射率が低くされているため、検知センサの構造の複雑化を招くことはない。また、低反射領域の形成も容易である。
【図面の簡単な説明】
【０００８】
【図１】本発明の第１実施形態であるシートスイッチモジュールの構造を示す模式図である。
【図２】図１のシートスイッチモジュールの押えシートの平面図である。
【図３】図１のシートスイッチモジュールの導光体の平面図である。
【図４】図１のシートスイッチモジュールのシートスイッチを示す断面図である。
【図５】本発明の第２実施形態であるシートスイッチモジュールを示す模式図である。
【図６】前図のシートスイッチモジュールの押えシートの平面図である。
【図７】導光体の輝度分布を示す図である。
【図８】本発明の第３実施形態であるセンサ装置を示す模式図である。
【図９】本発明に使用可能なメンブレンスイッチの一例を示す断面図である。
【図１０】シートスイッチモジュールの一例を示す模式図である。
【発明を実施するための形態】
【０００９】
以下、本発明のセンサ装置の実施形態について説明する。
（第１実施形態）
図１は、本発明のセンサ装置の第１実施形態であるシートスイッチモジュール１の構造を示す模式図である。図２は、押えシート２７の平面図である。図３は、導光体３の平面図である。図４は、シートスイッチ２１を示す断面図である。
【００１０】
図１ないし図４に示すように、このシートスイッチモジュール１（センサ装置）は、光源２と、光源２からの光が導入される導光体３と、導光体３の下面３ａ側に設けられたシートスイッチ２１（検知センサ）とを有する。
シートスイッチモジュール１の上面側には、複数の操作キー部８１を有するキーパッド８２が設けられている。キーパッド８２とシートスイッチモジュール１はキースイッチモジュールを構成する。
【００１１】
図１に示すように、導光体３は、シート状（または板状）に形成することができる。
導光体３は、透明な光透過性樹脂（光透過性材料）からなる。光透過性樹脂としては、ウレタン樹脂、アクリル樹脂、ポリカーボネート樹脂、シリコーン樹脂、ポリスチレン樹脂、ポリイミド樹脂、ポリメチルメタクリレート（ＰＭＭＡ）のエラストマー、ウレタンアクリレート等を用いることができる。光透過性樹脂としては、紫外線硬化型樹脂（アクリル樹脂、ウレタン樹脂等）を使用してもよい。
導光体３の厚さは、例えば０．０１〜２ｍｍ、好ましくは０．１〜２ｍｍ（例えば、０．５〜２ｍｍ）とすることができる。
【００１２】
図３に示すように、導光体３は矩形状（長方形）とされ、図１に示すように、操作キー部８１等に相当する複数の領域に、光取出部４が形成されている。図３に示す例では導光体３の１７か所に光取出部４が形成されている。
導光体３の一端部３ｃ（図３の上辺）は、光源２に近接した位置にある。導光体３の端面３ｅのうち、光源２の出射面２ａに対面している部分を導入部３ｆという（図１参照）。
【００１３】
図１に示すように、光源２としては、発光ダイオード（以下、ＬＥＤという）（発光素子）を使用できる。光源２は、出射面２ａを側方に向けて、導光体３の一端部３ｃの端面３ｅに対面させて設置される。この例では、図３に示すように、光源２は導光体３の幅方向（図３の左右方向）に間隔をおいて２つ設置されている。
光源２は、例えばケースの内部に発光素子チップを内蔵し、この発光素子チップからの出射光をケース側面の出射面２ａから出射させる構成が可能である。
光源２は、例えば配線基板（図示略）に実装された状態で使用される。なお、光源２として使用される発光素子は、ＬＥＤに限らず、冷陰極管などでもよい。
【００１４】
導光体３の下面３ａ（一方の面、裏面）には、入射光を散乱させて導光体３の上面３ｂ（他方の面、表面）側に取り出す（出射させる）光取出部４を形成することができる。
光取出部４は、例えば印刷により形成された複数のドット状の光散乱性材料層（以下、単にドットという）からなる。ドットはスクリーン印刷法、グラビア印刷法、パッド印刷法、インクジェット印刷法などの印刷法により形成することができる。
ドットにを構成する光散乱性材料としては、例えば顔料として酸化チタンを用いた白色インクが好適である。
【００１５】
光取出部４は、目的とする部分に平面視位置を合わせて形成することができる。
例えば、光取出部４は、シートスイッチ２１のスイッチ素子２６およびキーパッド８２の操作キー部８１に相当する位置に形成することによって、その部位を明るく表示することができる。
なお、光取出部４は、導光体表面に形成された切り欠き、サンドブラスト等によって形成した粗面部などであってもよい。また、光取出部４は導光体３の上面３ｂに設けることもできるし、導光体３の両面に設けることもできる。
【００１６】
図１に示すように、符号５は、導光体３の上面３ｂ側に設けられた遮光部材である。遮光部材５は、遮光性を有するシート体であって、光源１と導光体３との隙間からの漏光を防止する。
遮光部材５は、遮光性を有する材料からなり、例えば、ポリウレタン系樹脂、ポリカーボネート系樹脂、シリコーン系樹脂（シリコン系樹脂）等の樹脂を使用できる。
【００１７】
図４に示すように、シートスイッチ２１は、基板２２の上面２２ａ（一方の面）に、複数の中央接点部２３と、各中央接点部２３を囲む環状接点部２５と、接点部２３、２５を覆うドーム形状のメタルプレート２４と、これらを覆う押えシート２７とを有する。
基板２２としては、ＰＣＢ（Ｐｒｉｎｔｅｄ  Ｃｉｒｃｕｉｔ  Ｂｏａｒｄ）、ＦＰＣ（Ｆｌｅｘｉｂｌｅ  Ｐｒｉｎｔｅｄ  Ｃｉｒｃｕｉｔ）などのプリント配線基板を使用できる。
メタルプレート２４は、操作者による押圧によって中央部が下方に変形して中央接点部２３に当接し、中央接点部２３と環状接点部２５とを導通させることができる。
中央接点部２３と、これを囲む環状接点部２５と、メタルプレート２４とは、感圧型のスイッチ素子２６を構成している。
押えシート２７（反射体）は粘着材２８により基板２２に接着される。
【００１８】
図１に示すように、押えシート２７は、導光体３の下面３ａの周縁に設けられた粘着材１４を介して、導光体３に接着されている。
粘着材１４は、アクリル系樹脂、シリコーン系樹脂（シリコン系樹脂）などからなる。粘着材１４は光源２からの光が透過する程度の光透過性を有することが好ましい。
【００１９】
以下、図２および図３を参照しつつ、押えシート２７について詳しく説明する。図２は押えシート２７の平面図であり、図３は導光体３の平面図である。
図２に示すように、押えシート２７は、例えばＰＥＴ（ポリエチレンテレフタレート）などの樹脂材料からなる。押えシート２７は、本発明に適用可能な表面反射特性を有するものであれば、他の樹脂材料（ポリカーボネートなど）を使用してもよい。
【００２０】
この例の押えシート２７は、明色（白色、明るいグレー、黄色など）、好ましくは白色を呈する材料からなる。押えシート２７の上面２７ａは、導光体３と対向する面であって、導光体３からの光を反射する反射面である。
【００２１】
上面２７ａには、導光体３からの光を反射する主反射領域１１と、主反射領域１１に比べて光の反射率が低い低反射領域１２とが形成されている。
主反射領域１１は、図２に白色で示されている領域であり、例えば、後述する低反射層１３が形成されておらず、押えシート２７の上面２７ａが露出している領域である。
【００２２】
図２に示すように、低反射領域１２（１２Ａ、１２Ｂ）は、主反射領域１１とは異なる色を呈する領域であって、例えば押えシート２７の上面２７ａに低反射層１３（１３ａ、１３ｂ）を形成することによって、何も形成されていない主反射領域１１に比べて光の反射率が低くなった領域である。
低反射層１３（１３ａ、１３ｂ）は、例えば低反射性材料からなる層であり、主反射領域１１とは異なる色（例えば主反射領域１１より明度が低い色）を呈する。低反射層１３は、例えば暗色（黒、暗いグレー、濃紺、茶など）、特に黒色を呈することが好ましい。
【００２３】
本発明において、色は、マンセル表色系（ＪＩＳ Ｚ ８７２１ 三属性による色の表示方法）で表すことができ、例えばＪＩＳ Ｚ ８７２１に準拠した標準色票との比較により定めることができる。
例えば、明色とは例えばマンセル表色系における明度５以上の色であり、暗色とは例えば明度５未満の色である。
白色とは例えば明度７以上（好ましくは彩度２以下）の色であり、黒色とは明度３以下（好ましくは彩度２以下）の色である。グレー色とは、白色と黒色の中間色であって、白色と黒色の間に相当する明度を有し、好ましくは彩度２以下の色である。
【００２４】
低反射層１３を構成する低反射性材料としては、主反射領域１１に比べて明度が低い色を呈する材料、例えばカーボンブラック、チタンブラック等の顔料を含有する材料が好ましい。
低反射層１３は、印刷加工（マット印刷、スクリーン印刷法、グラビア印刷法、パッド印刷等）によって形成することができる。印刷により低反射層１３を形成するにあたっては、予め上面２７ａを粗面化してもよい。
【００２５】
低反射領域１２のうち、図２に示す第１低反射領域１２Ａは、平面視において、図３に示す導入部３ｆからほぼ一定距離の範囲内の領域３ｇに重なる領域を含む。
図示例では、第１低反射領域１２Ａは、導入部３ｆを中心とする略半円形の領域３ｇに平面視において重なる領域である。このため、第１低反射領域１２Ａは、主反射領域１１より光源２に近い位置にある。
なお、第１低反射領域１２Ａは、平面視において領域３ｇを含み、領域３ｇより広い領域であってもよい。また、低反射領域１２は、少なくとも一部が主反射領域１１より光源２に近い位置にあればよい。
【００２６】
低反射領域１２のうち、図２に示す第２低反射領域１２Ｂは、図３に示す光取出部４が形成された領域３ｈの少なくとも一部に重なる領域を含む。
図示例では、第２低反射領域１２Ｂは、光取出部４のうち比較的光源２に近い位置にある５つの光取出部４Ａに平面視において重なる領域である。第２低反射領域１２Ｂは、平面視において光取出部４Ａを含み、これより広い領域であってもよい。
【００２７】
図示例では、第１低反射領域１２Ａ、１２Ｂのうち、比較的光源２に近い位置にある第１低反射領域１２Ａは、第２低反射領域１２Ｂに比べて反射率が低く設定されている。
具体的には、第１低反射領域１２Ａは、比較的反射率が低い低反射層１３（１３ａ）が形成された領域、例えば黒色を呈する領域であり、第２低反射領域１２Ｂは、第１低反射領域１２Ａより反射率が高い低反射層１３（１３ｂ）が形成された領域、例えばグレー色を呈する領域である。
この例では、２種類の低反射領域１２Ａ、１２Ｂの形成によって、光源２からの距離に応じて光の反射率を調整し、輝度の均一化を図ることができる。
【００２８】
ここに示す例では、押えシート２７は、主反射領域１１と、低反射領域１２Ａ、１２Ｂとが互いに異なる色を呈するため、合計３色が用いられているが、本発明において検知センサの面に採用される色数は３色より多くてもよい。
また、主反射領域１１が互いに色が異なる２以上の領域、例えば白色の第１領域と、明るいグレー色の第２領域（第１領域より反射率が低くされた低明度領域）とを有していてもよい。
【００２９】
低反射領域１２は、粗面化によって光の散乱性が高められていてもよい。粗面化とは、上面２７ａの目的とする領域に微小な凹凸部（凹部および／または凸部）を形成することである。
粗面化の方法としては、サンドブラスト加工、レーザ加工、シボ加工を採用できる。また、マット印刷、スクリーン印刷、グラビア印刷、パッド印刷などを用いて、インクからなる凸部を形成することで前記凹凸部を形成することもできる。
【００３０】
図示例では、低反射領域１２は、第１低反射領域１２Ａと第２低反射領域１２Ｂとからなるが、低反射領域１２は、第１低反射領域１２Ａのみで構成されていてもよいし、第２低反射領域１２Ｂのみで構成されていてもよい。
【００３１】
図１に示すように、光源２から発せられて導入部３ｆから導光体３に導入された光のうち、光Ｌ１は、上面３ｂ、下面３ａ等に反射しつつ他端部３ｄに向かって伝搬する。光Ｌ１のうち、光取出部４で散乱した光は、導光体３の上面３ｂ側だけでなく下面３ａ側にも出射する。
また、光源２から発せられた光の一部である光Ｌ２は、一端部３ｃに近い位置で、導光体３の下面３ａ側に出射する。
光Ｌ２は、いったん導光体３に入射した後に粘着材１４等を通して導光体３の下面側に出射した光と、導光体３に入射せずに導光体３の下面側に至った光とを含む。
【００３２】
押えシート２７の上面２７ａの光源２に近い領域は第１低反射領域１２Ａであるため、導光体３の下面側に出た光Ｌ２は、上面２７ａでの反射量が低減される。
また、比較的光源２に近い光取出部４Ａで散乱して導光体３の下面側に出射した光は、第２低反射領域１２Ｂにおいて反射量が低減される。
主反射領域１１では、導光体３の下面側に出射した光は高い反射率で反射して導光体３に戻されるが、主反射領域１１は、光源２近傍とは異なり、漏出光量がそれほど多くない領域であるため、光出射量が過大になることはない。
従って、光源２に近い位置や光取出部４で光出射量が局部的に大きくなるのを防ぎ、輝度を均一化することができる。
【００３３】
シートスイッチモジュール１では、導光体３に入射しなかった光を含む光Ｌ２は、第１低反射領域１２Ａにより反射量が低減するため、光学設計の際には、導光体３に入射した光のみを対象とすることができる。このため、光学設計は容易になる。
また、光Ｌ２の反射量が低減するため、導光体３に入射しない光はほとんど発光に関与しない。このため、光源２と導光体３との位置ずれにより導光体３への入射光量が増減した場合でも、輝度の均一性に大きな影響はない。
また、低反射領域１２は、主反射領域１１とは色が異なることにより光の反射率が低くされているため、シートスイッチ２１の構造の複雑化を招くことはない。また、低反射領域１２の形成も容易である。
【００３４】
（第２実施形態）
図５は、本発明のセンサ装置の第２実施形態であるシートスイッチモジュール３１の構造を示す模式図である。図６は、押えシートの平面図である。
このシートスイッチモジュール３１（センサ装置）は、図１〜図３のシートスイッチ４１（検知センサ）の押えシート４７以外は第１実施形態のシートスイッチモジュール１と同様の構成とすることができる。以下、第１実施形態のシートスイッチモジュール１との共通の構成については、同一符号を付してその説明を省略する。
【００３５】
図５および図６に示すように、この例の押えシート４７は、暗色、好ましくは黒色を呈する材料からなる。押えシート４７の上面４７ａは、導光体３と対向し、導光体３からの光を反射する反射面である。
上面４７ａには、導光体３からの光を反射する主反射領域５１と、前記主反射領域５１に比べて光の反射率が低い低反射領域５２と、が形成されている。
主反射領域５１は、図６に白色で示されている領域であり、例えば、後述する高反射層５３が形成されている領域である。
【００３６】
図５に示すように、主反射領域５１は、低反射領域５２とは異なる色を呈する領域であって、例えば上面４７ａに高反射層５３を形成することによって、何も形成されていない低反射領域５２に比べて光の反射率が高くなった領域である。
高反射層５３は、例えば高反射性材料からなる層であり、低反射領域５２とは異なる色（例えば低反射領域５２より明度が高い色）を呈する。高反射層５３は、例えば明色（白色、明るいグレー、黄色など）、特に白色を呈することが好ましい。
【００３７】
高反射層５３を構成する高反射性材料としては、低反射領域５２に比べて明度が高い色を呈する材料、例えば酸化チタン、炭酸カルシウム等の顔料を含有させた材料が好ましい。
高反射層５３は、印刷加工（マット印刷、スクリーン印刷法、グラビア印刷法、パッド印刷等）によって形成することができる。印刷により高反射層５３を形成するにあたっては、予め上面４７ａを粗面化してもよい。
【００３８】
低反射領域５２は、図６に黒で示されている部分であり、主反射領域５１とは異なる色を呈する領域であって、高反射層５３が形成されておらず、押えシート４７の上面４７ａが露出している領域である。
低反射領域５２は、図３に示す光取出部４が形成された領域３ｈの少なくとも一部に重なる領域を含む。
図示例では、低反射領域５２は、すべての光取出部４に平面視において重なる領域である。低反射領域５２は、平面視において光取出部４を含み、これより広い領域であってもよい。
低反射領域５２は、粗面化によって光の散乱性が高められていてもよい。
【００３９】
図５に示すように、光源２から発せられた光Ｌ２は、一端部３ｃに近い位置で、粘着材１４等を通して導光体３の下面側に出射するが、上面４７ａの光源２に近い領域は低反射領域５２となっているため、その反射量は低減される。
主反射領域５１では、導光体３の下面側に出射した光は高い反射率で反射して導光体３に戻されるが、光源２近傍とは異なり、漏出光量がそれほど多くない領域であるため、光出射量が過大になることはない。
従って、光源２に近い位置で光出射量が局部的に大きくなるのを防ぎ、輝度を均一化することができる。
【００４０】
本発明のセンサ装置は、押えシート２７の上面２７ａに、低反射層１３（図２参照）と高反射層５３（図６参照）の両方が形成されていてもよい。例えば図２において、押えシート２７の上面２７ａが露出している領域に高反射層５３が形成された構成が可能である。
【００４１】
図７は、押えシート２７の色が輝度に与える影響についての試験結果を示す図である。
図７は、導光体３の平面図であって（図３参照）、押えシート２７が単一色であって、白色（左欄）、黒色（中欄）、またはグレー（右欄）である場合において、それぞれ光源２の未点灯時（上欄）および点灯時（中欄）の外観、並びに輝度分布（下欄）を示す。
【００４２】
この図に示すように、押えシート２７が白色またはグレーである場合には、光源２の点灯時に、光源２近傍に局部的に輝度が大きい箇所（ホットスポット）が生じた。
押えシート２７が黒色である場合には、光源２近傍のホットスポットは生じなかったが、全体に輝度が低くなり、発光特性が良好とはいえなかった。
この結果より、押えシート２７が全域にわたって同じ色である場合には、ホットスポット発生を防止し、かつ全体の輝度レベルを高めるのは難しいことがわかる。
【００４３】
（第３実施形態）
図８は、本発明のセンサ装置の第３実施形態の構造を示す模式図である。
このセンサ装置は、シートスイッチ２１に代えてタッチパッド３０（検知センサ）が用いられている点で図１に示すシートスイッチモジュール１と異なる。
タッチパッド３０は、入力センサ３５と、その一方の面に形成されたレジスト層３２（被覆樹脂層）とを備えている。
入力センサ３５は、人間の手指等の被検出体の近接または接触を検出するセンサである。ここでは、入力センサ３５は静電容量式の入力センサであって、基材３３の主面３３ａに設けられた配線層３４を有する。
基材３３は、例えばＰＥＴなどの樹脂で形成された板材である。
【００４４】
配線層３４は、例えば複数の電極３４ａを有する。人間の手指等の被検出体と電極３４ａとの間の静電容量は、被検出体と電極３４ａとの間の対向面積や離間距離によって変化するため、被検出体と電極３４ａは可変容量部を形成する。
可変容量部の静電容量の変化は検出手段（図示略）で検出され、その検出値に基づいて制御部（図示略）で被検出体による入力操作、その位置等が把握される。
【００４５】
レジスト層３２は、樹脂などからなり、基材３３および配線層３４を覆って形成される。レジスト層３２としては、例えば汎用のソルダレジストを使用できる。
【００４６】
タッチパッド３０には、第１実施形態のシートスイッチモジュール１と同様の構造を採用できる。
この例のレジスト層３２は、明色（好ましくは白色）を呈する材料からなる。
レジスト層３２の上面３２ａは、導光体３と対向し、導光体３からの光を反射する反射面であって、第１実施形態のシートスイッチモジュール１と同様に、主反射領域１１と、主反射領域１１とは異なる色を呈し、主反射領域１１に比べて光の反射率が低い低反射領域１２とを有する。
主反射領域１１は、低反射層１３が形成されておらず、レジスト層３２の上面３２ａが露出している領域であり、低反射領域１２は、低反射層１３の形成によって、主反射領域１１に比べて光の反射率が低くなった領域である。
【００４７】
このセンサ装置には、第２実施形態のシートスイッチモジュール３１と同様に、レジスト層３２が暗色（好ましくは黒色）を呈する材料からなり、その上面３２ａに、明色（例えば白色）の高反射層５３を形成した主反射領域５１と、何も形成されていない低反射領域５２とを有する構造としてもよい。
【００４８】
（第４実施形態）
本発明では、シートスイッチ２１に代えて、感圧式のメンブレンスイッチ（検知センサ）を使用することもできる。
図９は、メンブレンスイッチの一例を示すもので、このメンブレンスイッチ４０は、対向面４２ａに下部電極４４が形成された下部基板４２の上に上部基板４１が設けられ、上部基板４１の対向面４１ａに上部電極４３が形成されている。基板４１、４２はスペーサ４５によって互いに隔てられている。
【００４９】
上部基板４１の上面４１ｂは粘着材（図示略）によって導光体３（図１参照）に接着される。
メンブレンスイッチ４０では、被検出体（人間の手指等）による押圧によって上部基板４１が撓むと、上部電極４３が下部電極４４に当接し、これらが導通して入力操作等が検出される。
【００５０】
このメンブレンスイッチ４０には、第１実施形態または第２実施形態のシートスイッチモジュールと同様の構造を採用できる。
例えば、上部基板４１は、明色（好ましくは白色）を呈する材料からなり、上面４１ｂに主反射領域１１と低反射領域１２とが形成された構造としてよい。また、上部基板４１が暗色（好ましくは黒色）を呈する材料からなり、主反射領域５１と低反射領域５２とが形成された構造としてもよい。
【符号の説明】
【００５１】
１、３１・・・シートスイッチモジュール（センサ装置）、２・・・光源、３・・・導光体、３ａ・・・下面（一方の面）、３ｂ・・・上面（他方の面）、３ｆ・・・導入部、３ｇ・・・導入部からほぼ一定距離の範囲内の領域、４・・・光取出部、１１、５１・・・主反射領域、１２、１２Ａ、１２Ｂ、５２・・・低反射領域、１３・・・低反射層、２１・・・シートスイッチ（検知センサ）、２６・・・スイッチ素子、２７、４７・・・押えシート（反射体）、２７ａ、４７ａ・・・押えシートの上面（導光体と対向する面）、３０・・・タッチパッド（検知センサ）、３２ａ・・・タッチパッドのレジスト層の上面（導光体と対向する面）、４０・・・メンブレンスイッチ（検知センサ）、４１ｂ・・・メンブレンスイッチの上部基板の上面（導光体と対向する面）、５３・・・高反射層。
【図１】
2013229164.tif 000003
【図２】
2013229164.tif 000004
【図３】
2013229164.tif 000005
【図４】
2013229164.tif 000006
【図５】
2013229164.tif 000007
【図６】
2013229164.tif 000008
【図８】
2013229164.tif 000009
【図９】
2013229164.tif 000010
【図１０】
2013229164.tif 000011
【図７】
2013229164.tif 000012